(57)【要約】【課題】不正なカード情報の使用を効果的に防止することができる車載装置を提供する。【解決手段】車載装置の制御部は、記憶部に記憶させたカード情報について、その利用可能回数を記憶部に記憶させ、利用可能回数が０になった場合に、記憶部からカード情報を削除するようになっている（Ｓ２３０：Ｙｅｓ，Ｓ２３５）。このため、利用可能回数が０になれば、ユーザが消去操作を行わなくても記憶部からカード情報が消去されるため、ユーザが消去させることを忘れることによって不正にカード情報が使用されることを防止することができる。また、エンジンキーの操作に連動してカード情報が消去されるように車載装置を構成する必要もないため、サービスエリア等でエンジンキーをオフにすることができる。【選択図】図３
2008257352.tif 000002
【特許請求の範囲】
【請求項１】
通行料金の決済に伴うデータ処理を実行可能な車載装置であって、
記憶保持動作が不要であり、カード情報とともに他の情報も記憶可能な記憶手段と、
前記記憶手段に記憶されたカード情報を利用して前記データ処理を実行する制御手段と、
を備え、
前記記憶手段は、カード情報の利用可能回数を更に記憶し、
前記制御手段は、前記車載装置を搭載した車両がゲートを通過した際に前記記憶手段が記憶する前記利用可能回数を減算させ、前記利用可能回数が０になった場合に、前記記憶手段からカード情報を消去させること、
を特徴とする車載装置。
【請求項２】
請求項１に記載の車載装置において
前記制御手段は、対距離方式の有料道路では、入口ゲート又は出口ゲートのいずれか一方でのみゲート通過時に前記減算を行うこと、
を特徴とする車載装置。
【請求項３】
請求項１に記載の車載装置において、
前記記憶手段は、第一のフラグの状態を更に記憶し、
前記制御手段は、
均一料金方式のゲートを通過した際は、前記記憶手段に記憶されている前記第一のフラグの状態をオンにするとともに、これより前に既にオンであった場合は前記減算を行い、
対距離料金方式の入口ゲートを通過した際は、前記記憶手段に記憶されている前記第一のフラグの状態がオンである場合にのみ前記減算を行い、
対距離料金方式の出口ゲートを通過した際は、前記減算を行うこと、
を特徴とする車載装置。
【請求項４】
請求項３に記載の車載装置において、
前記制御手段は、対距離料金方式の入口ゲートを通過した際、前記記憶手段に記憶されている前記第一のフラグの状態をオフにすること、
を特徴とする車載装置。
【請求項５】
請求項１〜請求項４のいずれかに記載の車載装置において、
前記制御手段は、案内経路に基づいて算出された利用可能回数を入力して前記記憶手段に記憶させること、
を特徴とする車載装置。
【請求項６】
請求項１〜請求項５のいずれかに記載の車載装置において、
前記制御手段は、前記カード情報を前記記憶手段に記憶させた後、所定の時間が経過すると、前記記憶手段に記憶させておいた前記カード情報を消去させること、
を特徴とする車載装置。
【請求項７】
請求項６に記載の車載装置において、
前記記憶手段は、第二のフラグの状態を更に記憶し、
前記制御手段は、
対距離料金方式の入口ゲートを通過した際に、前記記憶手段に記憶されている前記第二のフラグの状態をオンにし、
対距離料金方式の出口ゲートを通過した際及び均一料金方式のゲートを通過した際に、前記記憶手段に記憶されている前記第二のフラグの状態をオフにし、
前記所定の時間が経過した時であっても、前記記憶手段に記憶されている前記第二のフラグの状態がオンである場合には、前記記憶手段に記憶させておいた前記カード情報を消去させないこと、
を特徴とする車載装置。
【請求項８】
請求項６又は請求項７に記載の車載装置において、
前記制御手段は、案内経路に基づいて算出された時間を入力し、その入力した時間を前記所定の時間として用いること、
を特徴とする車載装置。
【請求項９】
コンピュータを、請求項１〜請求項８のいずれかに記載の車載装置の前記制御手段として機能させるためのプログラム。
【発明の詳細な説明】
【技術分野】
【０００１】
本発明は、通行料金等の決済に伴うデータ処理を実行可能な車載装置に関する。
【背景技術】
【０００２】
近年、ＥＴＣシステムが広く普及している。しかし、現在のＥＴＣシステムは、接触型のＩＣカードを車載装置に挿入して用いる形式であるため、ＩＣカードと車載装置との間の接点不良の発生や、運転者がＩＣカードを挿入し忘れることにより、車両がＥＴＣシステムの入口ゲートや出口ゲートを正常に通過できない事象が発生している。
【０００３】
そこで、このような問題を解決するために本願の出願人は、ＩＣカードからカード情報を車載装置に予めコピーしておき、そのコピーしておいたカード情報をゲート通過時に利用することによってＩＣカードがなくてもゲートを通過できるようにした発明を先に出願した（先行出願１参照）。
【０００４】
［先行出願１］特願２００６−３１３３７７号
【発明の開示】
【発明が解決しようとする課題】
【０００５】
ところで、自己の所有する車両に搭載された車載装置にカード情報を記憶させる場合は、比較的長期間、カード情報が記憶され続けるようになっていてもよいが、他人の所有する車両（例えば、レンタカーやタクシー）に搭載された車載装置に自己のＩＣカードのカード情報を記憶させる場合は、使用後に速やかにカード情報が消去されるようになっていることが望まれる。ＩＣカード所有者の意図しないカード情報の使用を防止するためである。
【０００６】
そこで、他人の所有する車両に搭載された車載装置に記憶されたカード情報を、使用後に手動で消去できるように車載装置を構成することが考えられる。しかし、消去することを忘れることが考えられるため、意図しないカード情報の使用を十分に防止できるとは言い難い。
【０００７】
また、エンジンキーの操作に連動してカード情報が消去されるように車載装置を構成することが考えられる。しかし、カード情報は、通常、入口ゲートのみならず出口ゲートでも必要であるため、サービスエリア等でエンジンキーをオフにできないという問題が生ずる。
【０００８】
本願発明はこのような問題にかんがみなされたものであり、不正なカード情報の使用を効果的に防止することができる車載装置を提供することを目的とする。
【課題を解決するための手段】
【０００９】
上記課題を解決するためになされた請求項１に記載の車載装置は、通行料金の決済に伴うデータ処理を実行可能な車載装置であって、記憶保持動作が不要であり、カード情報とともに他の情報も記憶可能な記憶手段と、記憶手段に記憶されたカード情報を利用して上記データ処理を実行する制御手段とを備える。そして、記憶手段は、カード情報の利用可能回数を更に記憶し、制御手段は、車載装置を搭載した車両がゲートを通過した際に記憶手段が記憶する利用可能回数を減算させ、利用可能回数が０になった場合に、記憶手段からカード情報を消去させる。
【００１０】
このような車載装置によれば、利用可能回数が０になれば、ユーザが消去操作を行わなくても記憶手段からカード情報が消去されるため、ユーザが消去させることを忘れることによって不正にカード情報が使用されることを防止することができる。また、エンジンキーの操作に連動してカード情報が消去されるように車載装置を構成する必要もないため、サービスエリア等でエンジンキーをオフにすることができる。
【００１１】
ところで、有料道路の料金体系としては、距離（又は区間）に応じて通行料金が課される対距離料金方式の場合の他、距離にかかわらず一定の通行料金が課される均一料金方式の料金体系とが存在する。対距離料金方式の場合、例えば、入口ゲートでも出口ゲートでも利用可能回数が減算されるようになっていると、ユーザが希望する有料道路利用回数の２倍の数を、カード情報の利用可能回数として設定する必要が生ずる。このため、仮に利用可能回数をユーザが設定するようになっているとすれば使い勝手が悪く、また記憶手段に記憶された利用可能回数からユーザが有料道路の残り利用可能回数を確認する際の手間もかかる。このため有料道路の利用可能回数と、記憶手段に記憶されているカード情報の利用可能回数とを一対一に対応させることができるようになっているとよい。つまり、制御手段は、対距離料金方式の有料道路では、入口ゲート又は出口ゲートのいずれか一方でのみ、ゲート通過時に前記減算を行うようになっているとよい（請求項２）。なお、均一料金方式の料金体系が採用されている有料道路では、ゲート通過時に減算する。
【００１２】
このようになっていれば、記憶手段に記憶されている、カード情報の利用可能回数と有料道路の利用可能回数とを一致させることができ、ユーザの使い勝手が向上する。
しかしながら、近年、均一料金方式の有料道路において、特定の地点（例えば出口等）に設置された路側装置の側を通過した場合には料金の払い戻しがなされるような運用がなされる場合もある。なお、払い戻しがなされる条件としては、通行区間が短かった場合や、交通分散を目的とした案内にしたがって通行した場合等である。
【００１３】
このような場合、上述した車載装置では、払い戻しができないケースが生ずる。つまり、上述した車載装置では、利用可能回数が０になった時点で記憶手段からカード情報が消去されるため、均一料金方式の有料道路に入った時点でカード情報が消去されてしまうことになる。そうすると、均一料金方式の有料道路の出口で払い戻しがなされる時にカード情報が存在せず、払い戻しを受けられない。
【００１４】
このような問題を解決するためには、例えば、請求項３に記載の車載装置が考えられる。つまり、記憶手段は、第一のフラグの状態を更に記憶する。そして  制御手段は、均一料金方式のゲートを通過した際は、記憶手段に記憶されている第一のフラグの状態をオンにするとともに、これより前に既にオンであった場合は減算を行い、対距離料金方式の入口ゲートを通過した際は、記憶手段に記憶されている第一のフラグの状態がオンである場合にのみ減算を行い、対距離料金方式の出口ゲートを通過した際は、利用可能回数の減算を行う。
【００１５】
このようになっていれば、第一のフラグの状態がオフの状態のときは、均一料金方式のゲートを通過しても利用可能回数は減算されず、次に、均一料金方式のゲートを通過した際か、対距離料金方式の入口ゲートを通過した際に利用可能回数が減算される。したがって、請求項３に記載の車載装置によれば、利用可能回数を１回だけ超えて課金がなされるケースが生じてしまうが、払い戻しができないケースは生じない。
【００１６】
なお、２回以上の利用可能回数が設定された場合は、適切な回数のカード情報の利用を実現するため、第一のフラグの状態をオフにする必要が生ずる。つまり、請求項４に記載のように、制御手段は、対距離料金方式の入口ゲートを通過した際、記憶手段に記憶されている第一のフラグの状態をオフにするようになっていなければならない。
【００１７】
このようになっていれば、２回以上の利用可能回数が設定された場合でも、適切な回数のカード情報の利用を実現することができる。
ところで、利用可能回数は、ユーザが操作部等を用いて直接入力するようになっていてもよいが、ナビゲーション装置等において算出された案内経路に基づいて算出された利用可能回数を、ナビゲーション装置等から入力して記憶手段に記憶させるようになっているとよい（請求項５）。
【００１８】
このようになっていれば、ユーザが操作部等を用いて利用可能回数を直接入力する必要がなくなるとともに、経路に応じた適切な利用可能回数を設定することができる。
ここまでは、利用可能回数に基づいてカード情報を消去するか否かが判断されるようになった車載装置について説明したが、さらに、タイマによってカード情報を消去するか否かが判断されるようになっていてもよい。つまり、請求項６に記載のように、制御手段は、カード情報を記憶手段に記憶させた後、所定の時間が経過すると、記憶手段に記憶させておいたカード情報を消去させるようになっていてもよい。
【００１９】
このようになっていても、ユーザが意図しないカード情報の使用を防止することができる。
しかしながら、タイマによってカード情報を消去するか否かが判断されるようになっていると、対距離料金方式の有料道路における入口ゲートを通過した後、出口ゲートを通過する前にカード情報が消去されてしまうケースが考えられる。このケースが発生すると、出口ゲートを通過できなくなる。これを防止するためには、請求項７に記載のように、記憶手段は、第二のフラグの状態を更に記憶し、制御手段は、対距離料金方式の入口ゲートを通過した際に、記憶手段に記憶されている第二のフラグの状態をオンにし、対距離料金方式の出口ゲートを通過した際及び均一料金方式のゲートを通過した際に、記憶手段に記憶されている第二のフラグの状態をオフにし、所定の時間が経過した時であっても、記憶手段に記憶されている第二のフラグの状態がオンである場合には、記憶手段に記憶させておいたカード情報を消去させないようになっているとよい。
【００２０】
このようになっていれば、対距離料金方式の有料道路における入口ゲートを通過した後、出口ゲートを通過する前にカード情報が消去されてしまうことを防止することができる。
【００２１】
ところで、タイマの値は、ユーザが操作部等を用いて直接入力するようになっていてもよいが、ナビゲーション装置等において算出された案内経路に基づいて算出された時間を、上述した所定の時間として用いるようになっていてもよい（請求項８）。
【００２２】
このようになっていれば、ユーザが操作部等を用いて直接入力する必要がなくなるとともに、経路に応じた適切な時間を所定の時間として設定することができる。
なお、上述した制御手段としての機能をプログラムによって実現してもよい（請求項９）。このようなプログラムを、車載装置が内蔵するコンピュータに実行させれば、その車載装置は、上述した本発明の車載装置と同様の作用及び効果を奏する。また、プログラムはネットワーク等を用いて流通させることも可能である上、車載装置におけるプログラムの入れ替えは、部品の入れ替えに比較して容易である。したがって、車載装置の機能向上を容易に行うこともできる。
【発明を実施するための最良の形態】
【００２３】
以下、本発明が適用された実施形態について図面を用いて説明する。尚、本発明の実施の形態は、下記の実施形態に何ら限定されることはなく、本発明の技術的範囲に属する限り種々の形態を採りうる。
【００２４】
［構成の説明］
図１（ａ）は、ＥＴＣシステム１０の構成を示すブロック図である。ＥＴＣシステム１０は、車両に搭載された車載装置２０と、ＥＴＣの決済処理に用いるカード情報を記憶するＩＣカード３０と、有料道路の入口ゲートや出口ゲート等に設けられた路側装置４０とを備える。なお、図１（ａ）には車載装置２０、ＩＣカード３０と、路側装置４０とが１台ずつ記載されているが、通常は、システム全体で複数台存在する。
【００２５】
次に、車載装置２０の詳細について図１（ｂ）のブロック図を用いて説明する。車載装置２０は、車両に搭載されて用いられるＥＴＣ用の車載装置であり、無線アンテナ２１と、ＤＳＲＣ部２２と、ＨＭＩ２３と、ＳＡＭ２４と、非接触通信インターフェース２５と、記憶部２６と、制御部２７とを備える。
【００２６】
無線アンテナ２１は、ＤＳＲＣ用のアンテナである。
ＤＳＲＣ部２２は、無線アンテナ２１を介してＤＳＲＣによる情報の送受信を行う部位である。なお、通信対象は路側装置４０である。
【００２７】
ＨＭＩ２３は、人間と装置とのコミュニケーションのためのインターフェース（Human Machine Interface）を提供する部位である。具体的には、操作ボタンやＬＥＤやスピーカ等から構成される。
【００２８】
ＳＡＭ２４は、路側装置４０と行う通信の通信情報等の暗号化・復号化を行う（※ＳＡＭ：Secure Application Module）。
非接触通信インターフェース２５は、ＩＣカード３０と、非接触の近距離無線通信を行うための機能を有する部位である。なお、接触型の通信インターフェースであってもよい（その場合はＩＣカード３０が接触型の通信インターフェースを有している必要がある）。
【００２９】
記憶部２６は、記憶保持動作が不要なデバイス（例えば、フラッシュメモリ）から構成され、各種の情報を記憶することができる。具体的には、カード情報（カード番号、有効期限、名義情報、カード会社番号、カード種別等）、均一料金方式通過確認フラグ（均一料金方式のゲートを通過して課金されたけれども未だ利用可能回数を減算していないことを示すフラグ）、対距離料金方式入口通過中フラグ（対距離料金方式の入口ゲートを通過し、未だ出口ゲートを通過していないことを示すフラグ）等を記憶可能になっている。
【００３０】
制御部２７は、ＣＰＵ、ＲＯＭ、ＲＡＭ、Ｉ／Ｏ等から構成され、ＤＳＲＣ部２２、ＨＭＩ２３、ＳＡＭ２４、非接触通信インターフェース２５及び記憶部２６をプログラムに基づいて統括的に制御する部位である。
【００３１】
［動作の説明］
次に、ＥＴＣシステム１０の動作について説明する。
（１）カード情報のコピーについて
まず、ＩＣカード３０から車載装置２０へのカード情報のコピーについて、図２のフローチャートを用いて説明する。なお、前提として、ＩＣカード３０には、ＥＴＣの決済処理に用いるカード情報が予め記憶されていることとする。
【００３２】
車載装置２０の、ＨＭＩ２３（具体的には操作ボタン）が操作され、ＩＣカード３０から車載装置２０へカード情報をコピーさせる旨の指示をユーザから受けたとする。すると、車載装置２０の制御部２７は、非接触通信インターフェース２５を介してＩＣカード３０へ、カード情報の送信を要求する（Ｓ１０５）。
【００３３】
カード情報の送信要求を受け付けたＩＣカード３０は、自身が記憶するカード情報を、近距離無線通信を介して車載装置２０へ送信する（Ｓ１１０）。
カード情報を受信した車載装置２０の制御部２７は、記憶部２６に受信したカード情報を記憶させる。そして、車載装置２０の制御部２７は、非接触通信インターフェース２５を介してＩＣカード３０へ、カード情報を受信した旨を通知する（Ｓ１１５）。
【００３４】
カード情報を受信した旨の通知を受け取ったＩＣカード３０は、カード情報の読み出しを禁止するフラグをオンにする等して、以降のカード情報の読み出しを禁止する。これは、カード情報が複数の車載装置２０に記憶されることを防止するためである。
【００３５】
一方、車載装置２０の制御部２７は、ＨＭＩ２３（具体的にはスピーカ）を介してユーザに利用可能回数の入力を促し、ＨＭＩ２３（具体的には操作ボタン）を介してユーザから利用可能回数の入力を受け付ける。そして、利用可能回数が入力された否かによって処理を分岐する（Ｓ１２０）。この「利用可能回数」というのは、カード情報を有料道路の課金に利用できる回数であり、有料道路の利用可能回数とも言える。利用可能回数が入力された場合は（Ｓ１２０：Ｙｅｓ）、Ｓ１２５へ処理を移行し、利用可能回数の入力がされなかった場合は（Ｓ１２０：Ｎｏ）、Ｓ１３０へ処理を移行する。
【００３６】
利用可能回数が入力された場合に進むＳ１２５では、車載装置２０の制御部２７は、ＨＭＩ２３（具体的には操作ボタン）を介してユーザから入力された利用可能回数を記憶部２６に記憶させる。一方、利用可能回数が入力されなかった場合に進むＳ１３０では、車載装置２０の制御部２７は、利用可能回数を１回として記憶部２６に記憶させる。
【００３７】
続いて、車載装置２０の制御部２７は、ＨＭＩ２３（具体的にはスピーカ）を介してユーザにタイマの入力を促し、タイマに設定する時間の入力を、ＨＭＩ２３（具体的には操作ボタン）を介して受け付ける。そして、タイマに設定する時間が入力されたか否かによって処理を分岐する（Ｓ１３５）。ここで設定される時間というのは、設定された時間が経過すると記憶部２６に記憶されたカード情報が消去される時間である。設定される時間は、分単位でも時間単位でもよく、また消去時刻であってもよい。
【００３８】
Ｓ１３５での判定の結果、タイマに設定する時間が入力された場合には（Ｓ１３５：Ｙｅｓ）、Ｓ１３５へ処理を移行し、タイマに設定する時間が入力されなかった場合には（Ｓ１３５：Ｎｏ）、Ｓ１４５へ処理を移行する。
【００３９】
タイマに設定する時間が入力された場合に進むＳ１４０では、入力された時間によってタイマを設定する（Ｓ１４０）。具体的には、制御部２７の内部に設けられたタイマにその時間を設定することによって行う。その結果、設定された時間が経過したタイミングで、後述するタイマ処理が起動されることになる。
【００４０】
続くＳ１４５では、記憶部２６に記憶されている均一料金方式通過確認フラグ及び対距離料金方式入口通過中フラグをオフにする。この「均一料金方式通過確認フラグ」というのは、均一料金方式のゲートを通過して課金されたけれども未だ利用可能回数を減算していないことを示すフラグである。次回のゲート通過時に利用可能回数を減算させるためのフラグである。また、「対距離料金方式入口通過中フラグ」というのは、対距離料金方式の入口ゲートを通過し、未だ出口ゲートを通過していないことを示すフラグである。タイマによってカード情報が消去されることを防止するためのフラグである。
【００４１】
（２）ゲート処理
次に、車載装置２０を搭載した車両が、路側装置４０の設置されたゲートに到達した際に、車載装置２０の制御部２７で実行が開始される処理であるゲート処理について、図３のフローチャートを用いて説明する。
【００４２】
車載装置２０の制御部２７は、無線アンテナ２１及びＤＳＲＣ部２２を介してＢＳＴ（Beacon Service Table）信号を受け、ＢＳＴ信号に応答してＶＳＴ（Vehicle Service Table）信号を、無線アンテナ２１及びＤＳＲＣ部２２を介して路側装置４０へ送信する。その後、車載装置２０の制御部２７は、路側装置４０と通信することにより、課金処理を実行する（Ｓ２０５）。具体的な処理の内容は、次の通りである。路側装置４０が対距離料金方式の入口ゲートに設置されたものである場合は、路側装置４０から入口情報（入口を特定するための情報）を受信して記憶部２６に記憶させる。また、路側装置４０が対距離料金方式の出口ゲートに設置されたものである場合は、記憶部２６に記憶させておいた入口情報とカード情報を路側装置４０へ送り、通行料金の課金を行わせる。また、路側装置４０が均一料金方式に用いられるものである場合は、カード情報を路側装置４０へ送り、均一料金の課金又は払い戻し料金の払い戻しを行わせる。
【００４３】
課金処理を終えた車載装置２０の制御部２７は、路側装置４０の種類によって処理を分岐する（Ｓ２１０）。具体的には、路側装置４０の種類が対距離料金方式の有料道路の入口に設置された路側装置であった場合にはＳ２１５に処理を移行し、路側装置４０の種類が対距離料金方式の有料道路の出口に設置された路側装置であった場合にはＳ２２０へ処理を移行し、路側装置４０の種類が均一料金方式の有料道路に設置された路側装置であった場合にはＳ２２５へ処理を移行する。
【００４４】
Ｓ２１５では、対距離料金方式の課金後処理（入口）を実行する。詳細は後述する。
Ｓ２２０では、対距離料金方式の課金後処理（出口）を実行する。詳細は後述する。
Ｓ２２５では、均一料金方式の課金後処理を実行する詳細は後述する。
【００４５】
車載装置２０の制御部２７は、いずれかの処理を終えると、記憶部２６に記憶されている利用可能回数が０であるか否かを判定する（Ｓ２３０）。記憶部２６に記憶されている利用可能回数は０であると判定した場合は（Ｓ２３０：Ｙｅｓ）、Ｓ２３５へ処理を移行し、記憶部２６に記憶されている利用可能回数は０でない（つまり、１以上）であると判定した場合は（Ｓ２３０：Ｎｏ）、本処理（ゲート処理）を終了する。
【００４６】
Ｓ２３５では、車載装置２０の制御部２７は、記憶部２６からカード情報を削除し、本処理（ゲート処理）を終了する。
（３）対距離料金方式の課金後処理（入口）
次に、上述したゲート処理のＳ２１５で呼び出されて実行が開始される対距離料金方式の課金後処理（入口）について、図４のフローチャートを用いて説明する。
【００４７】
車載装置２０の制御部２７は、対距離料金方式の課金後処理（入口）の実行を開始すると、まず、記憶部２６に記憶されている均一料金方式通過確認フラグはオンであるか否かを判定する（Ｓ３０５）。均一料金方式通過確認フラグはオンであると判定した場合は（Ｓ３０５：Ｙｅｓ）、Ｓ３１０へ処理を移行し、均一料金方式通過確認フラグはオフであると判定した場合は（Ｓ３１０：Ｎｏ）、Ｓ３２０へ処理を移行する。
【００４８】
均一料金方式通過確認フラグはオンであると判定した場合に進むＳ３１０では、記憶部２６に記憶されている利用可能回数を１減算する。そして、記憶部２６に記憶されている均一料金方式通過確認フラグをオフにし（Ｓ３１５）、Ｓ３２０へ処理を移行する。
【００４９】
Ｓ３２０では、記憶部２６に記憶されている対距離料金方式入口通過中フラグをオンにする。そして、本処理（対距離料金方式の課金後処理（入口））を終了し、呼び出し元であるゲート処理のＳ２１５に続く処理を実行する。
【００５０】
（４）対距離料金方式の課金後処理（出口）
次に、上述したゲート処理のＳ２２０で呼び出されて実行が開始される対距離料金方式の課金後処理（出口）について、図５のフローチャートを用いて説明する。
【００５１】
車載装置２０の制御部２７は、対距離料金方式の課金後処理（出口）の実行を開始すると、まず、記憶部２６に記憶されている利用可能回数を１減算する（Ｓ４０５）。そして、記憶部２６に記憶されている均一料金方式通過確認フラグをオフにし（Ｓ４１０）、記憶部２６に記憶されている対距離料金方式入口通過中フラグをオフにする（Ｓ４１５）。そして、本処理（対距離料金方式の課金後処理（出口））を終了し、呼び出し元であるゲート処理のＳ２２０に続く処理を実行する。
【００５２】
（５）均一料金方式の課金後処理
次に、上述したゲート処理のＳ２２５で呼び出されて実行が開始される均一料金方式の課金後処理について、図６のフローチャートを用いて説明する。
【００５３】
車載装置２０の制御部２７は、均一料金方式の課金後処理の実行を開始すると、まず、直前に通過したゲート（現在も未だゲート通過中であれば、そのゲート）において課金がなされたか否かを判定する（Ｓ５０５）。「課金がなされたか否か」というのは、言い換えれば、均一料金の支払いに伴うデータ処理を実行したか否かということであり、払い戻しに伴うデータ処理を実行した場合は含まれない。なお、ここで言う「払い戻し」には、実際に払い戻し額があったケースのみならず、満額の払戻額と不足金とを相殺した結果、払い戻し額が０であった場合も含む。
【００５４】
Ｓ５０５において、直前に通過したゲートにおいて課金がなされたと判定した場合は（Ｓ５０５：Ｙｅｓ）、Ｓ５１０へ処理を移行し、直前に通過したゲートにおいて課金がなされていないと判定した場合は（Ｓ５０５：Ｎｏ）、本処理（均一料金方式の課金後処理）を終了し、呼び出し元であるゲート処理のＳ２２５に続く処理を実行する。
【００５５】
直前に通過したゲートにおいて課金がなされたと判定した場合に進むＳ５１０では、記憶部２６に記憶されている均一料金方式通過確認フラグはオンであるか否かを判定する（Ｓ５１０）。均一料金方式通過確認フラグはオンであると判定した場合は（Ｓ５１０：Ｙｅｓ）、Ｓ５１５へ処理を移行し、均一料金方式通過確認フラグはオフであると判定した場合は（Ｓ５１０：Ｎｏ）、Ｓ５２０へ処理を移行する。
【００５６】
Ｓ５１５では、記憶部２６に記憶されている利用可能回数を１減算する。そして、Ｓ５２０へ処理を移行する。
Ｓ５２０では、記憶部２６に記憶されている均一料金方式通過確認フラグをオンにし、Ｓ５２５へ処理を移行する。
【００５７】
Ｓ５２５では、記憶部２６に記憶されている対距離料金方式入口通過中フラグをオフにする。そして、本処理（均一料金方式の課金後処理）を終了し、呼び出し元であるゲート処理のＳ２２５に続く処理を実行する。
【００５８】
（６）タイマ処理
次に、制御部２７に設けられたタイマに設定された時間が経過したことを、制御部２７が検知した際に、制御部２７で実行が開始されるタイマ処理について、図７のフローチャートを用いて説明する。なお、タイマが設定されていない場合は、タイマ処理は実行されることはない。
【００５９】
車載装置２０の制御部２７は、タイマ処理の実行を開始すると、まず、記憶部２６に記憶されている対距離料金方式入口通過中フラグはオンであるか否かを判定する（Ｓ６０５）。対距離料金方式入口通過中フラグはオンであると判定した場合は（Ｓ６０５：Ｙｅｓ）、Ｓ６１０へ処理を移行し、対距離料金方式入口通過中フラグはオフであると判定した場合は（Ｓ６０５：Ｎｏ）、Ｓ６１５へ処理を移行する。
【００６０】
対距離料金方式入口通過中フラグはオンであると判定した場合に進むＳ６１０では、記憶部２６に記憶されている利用可能回数を強制的に１とする。この結果、対距離料金方式の出口ゲートを通過した際に、記憶部２６に記憶されているカード情報は削除されることになる。利用可能回数を強制的に１にした後は、本処理（タイマ処理）を終了する。
【００６１】
一方、対距離料金方式入口通過中フラグはオフであると判定した場合に進むＳ６１５では、記憶部２６に記憶されているカード情報を削除し、本処理（タイマ処理）を終了する。
【００６２】
［実施形態の効果］
上述したＥＴＣシステム１０の車載装置２０によれば、以下のような効果を奏する。
車載装置２０の制御部２７は、記憶部２６に記憶させたカード情報について、その利用可能回数を記憶部２６に記憶させるようになっており（Ｓ１２５，Ｓ１３０）、利用可能回数が０になった場合に、記憶部２６からカード情報を削除するようになっている（Ｓ２３０：Ｙｅｓ，Ｓ２３５）。このため、利用可能回数が０になれば、ユーザが消去操作を行わなくても記憶部２６からカード情報が消去されるため、ユーザが消去させることを忘れることによって不正にカード情報が使用されることを防止することができる。また、エンジンキーの操作に連動してカード情報が消去されるように車載装置２０を構成する必要もないため、サービスエリア等でエンジンキーをオフにすることができる。
【００６３】
また、記憶部２６は、均一料金方式通過確認フラグを記憶し、制御部２７は、ゲートの種別によって処理を行う。具体的には、均一料金方式のゲートを通過した際は、記憶部２６に記憶されている均一料金方式通過確認フラグの状態をオンにするとともに、これより前に既にオンであった場合は減算を行う（図６）。また、対距離料金方式の入口ゲートを通過した際は、記憶部２６に記憶されている均一料金方式通過確認フラグの状態がオンである場合にのみ減算を行う（図４）。対距離料金方式の出口ゲートを通過した際は、利用可能回数の減算を行う（図５）。
【００６４】
このため、均一料金方式通過確認フラグの状態がオフの状態のときは、均一料金方式のゲートを通過しても利用可能回数は減算されず、次に、均一料金方式のゲートを通過した際か、対距離料金方式の入口ゲートを通過した際に利用可能回数が減算される。したがって、利用可能回数を１回だけ超えて課金がなされるケースが生じてしまうが、均一料金方式の有料道路の出口で払い戻しがなされる時にカード情報が存在せずに払い戻しを受けられないというケースは生じない。
【００６５】
また、制御部２７は、対距離料金方式の入口ゲートを通過した際、記憶部２６に記憶されている均一料金方式通過確認フラグの状態をオフにするようになっている（Ｓ３１５）。このため、２回以上の利用可能回数が設定された場合でも、適切な回数のカード情報の利用を実現することができる。
【００６６】
また、制御部２７は、カード情報を記憶部２６に記憶させた後、タイマに設定された時間が経過すると、記憶部２６に記憶させておいたカード情報を消去させるようになっている（Ｓ６１５）。しかも、制御部２７は、対距離料金方式の入口ゲートを通過した際に、記憶部２６に記憶されている対距離料金方式入口通過中フラグの状態をオンにし（Ｓ３２０）、対距離料金方式の出口ゲートを通過した際及び均一料金方式のゲートを通過した際に、記憶部２６に記憶されている対距離料金方式入口通過中フラグの状態をオフにし（Ｓ４１５，Ｓ５２５）、タイマに設定された時間が経過した時であっても、記憶部２６に記憶されている対距離料金方式入口通過中フラグの状態がオンである場合には、記憶部２６に記憶させておいたカード情報を、対距離料金方式の出口ゲートを通過するまで消去させないようになっている（Ｓ６０５：Ｙｅｓ，Ｓ６１０）。
【００６７】
このため、ユーザが意図しないカード情報の使用を防止しながら、対距離料金方式の有料道路における入口ゲートを通過した後、出口ゲートを通過する前にカード情報が消去されてしまうことを防止している。したがって、出口ゲートを通過できなくなるということはない。
【００６８】
［他の実施形態］
（１）上記実施形態では、制御部２７に設けられたタイマに設定された時間が経過したことを制御部２７が検知した際に、制御部２７でタイマ処理が実行されて、カード情報が削除されるか、利用可能回数が強制的に１に設定されるようになっていた（Ｓ６１５，Ｓ６１０）。これとは異なり、タイマに設定された時間が経過したことを検知した際、カード情報の削除を行う前に、タイマの設定を再度行うかどうかをユーザに対して問い合わせるようにしてもよい。具体的には、制御部２７が、ＨＭＩ２３（スピーカ）を介して、タイマの設定を再度行うかどうかを音声によって問合せる。そして、ユーザがそれを希望する旨の入力をＨＭＩ２３（操作ボタン）に対して行った場合、例えば、ユーザにＩＣカード３０を車載装置２０にかざすように促し、ＩＣカード３０と車載装置２０とが通信可能になると、ＩＣカード３０に記憶されたカード情報と、車載装置２０の記憶部２６に記憶されているカード情報とが同一であることを条件に、タイマに設定する時間の入力を受け付けるようになっているとよい（入力の受け付けは、Ｓ１３５，Ｓ１４０と同様）。
【００６９】
このようになっていれば、当初設定した時間よりも、カード情報の必要な時間が延びた場合に、その時間を反映させることができる。
（２）車載装置２０にナビゲーション装置が接続されている場合には、利用可能回数又はタイマ設定時間の少なくともいずれか一方を、ナビゲーション装置において算出された案内経路に基づいて算出された利用可能回数やタイマ設定時間を取得して設定するようになっているとよい。
【００７０】
このようになっていれば、ユーザがＨＭＩ２３（操作ボタン）を用いて利用可能回数やタイマ設定時間を直接入力する必要がなくなるとともに、経路に応じた必要最低限の利用可能回数やタイマ設定時間を設定することができる。
【００７１】
（３）ゲート処理におけるＳ２３５、及び、タイマ処理におけるＳ６１５の後に、ＨＭＩ２３（具体的にはスピーカ及びＬＥＤ）によってカード情報を削除した旨をユーザへ報知するようになっているとよい。
【００７２】
このようになっていれば、カード情報が車載装置２０から削除された旨をユーザが容易に認識することができる。
（４）車載装置２０を、対距離料金方式の有料道路にのみ対応させてもよい。その場合は、制御部２７は、対距離料金方式の有料道路の入口ゲート又は出口ゲートのいずれか一方でのみ、ゲート通過時に利用可能回数の減算を行うようになっていればよい。例えば、上述した対距離料金方式の課金後処理（入口）では、均一料金方式通過確認フラグがオンであった場合には（Ｓ３１０：Ｙｅｓ）、利用可能回数を１減算するようになっていたが、均一料金方式通過確認フラグの状態にかかわらず、利用可能回数の減算を行わないようになっていればよい。
【００７３】
このようにすれば、制御部２７が実行するプログラムの処理ステップを少なくすることができる。
［特許請求の範囲との対応］
上記実施形態の説明で用いた用語と、特許請求の範囲に記載した用語との対応を示す。
【００７４】
記憶部２６が記憶手段に相当し、制御部２７が制御手段に相当し、均一料金方式通過確認フラグが第一のフラグに相当し、対距離料金方式入口通過中フラグが第二のフラグに相当する。
【図面の簡単な説明】
【００７５】
【図１】ＥＴＣシステム全体の構成及び車載装置の構成を説明するためのブロック図である。
【図２】カード情報をＩＣカードから車載装置へコピーする際の処理を説明するためのフローチャートである。
【図３】ゲート処理を説明するためのフローチャートである。
【図４】対距離料金方式の課金後処理（入口）を説明するためのフローチャートである。
【図５】対距離料金方式の課金後処理（出口）を説明するためのフローチャートである。
【図６】均一料金方式の課金後処理を説明するためのフローチャートである。
【図７】タイマ処理を説明するためのフローチャートである。
【符号の説明】
【００７６】
１０…ＥＴＣシステム、２０…車載装置、２１…無線アンテナ、２２…ＤＳＲＣ部、２３…ＨＭＩ、２４…ＳＡＭ、２５…非接触通信インターフェース、２６…記憶部、２７…制御部、３０…ＩＣカード、４０…路側装置。
【図１】
2008257352.tif 000003
【図２】
2008257352.tif 000004
【図３】
2008257352.tif 000005
【図４】
2008257352.tif 000006
【図５】
2008257352.tif 000007
【図６】
2008257352.tif 000008
【図７】
2008257352.tif 000009